(57)【要約】【課題】媒体が詰まるおそれを低減できる記録装置を提供すること。【解決手段】記録装置は、記録部１３と、第１搬送路１４と、第２搬送路１６と、第１搬送路と第２搬送路とを仕切る仕切部材１７と、許容位置と案内位置９４とに変位するように構成される押付部材１８と、を備え、押付部材は、幅方向に並ぶように複数設けられ、複数の押付部材は、第１押付部材２５と、第２押付部材２６とを有し、複数の押付部材のうち、幅方向において複数の押付部材が設けられる領域の中心を通る中心軸に最も近い位置に位置する押付部材が第１押付部材であり、複数の押付部材のうち、幅方向において第１押付部材よりも外側に位置する押付部材が第２押付部材であり、案内位置に位置する第１押付部材の下端部分２５Ａは、案内位置に位置する第２押付部材の下端部分２６Ａよりも、下方に位置する。【選択図】図６
2020175994.tif 000002
【特許請求の範囲】
【請求項１】
媒体に記録する記録部と、
前記記録部に向かう第１方向に前記媒体が搬送される第１搬送路と、
前記第１搬送路から分岐し、前記記録部によって片面が記録された前記媒体が前記第１方向とは反対の第２方向に搬送される第２搬送路と、
前記第１搬送路と前記第２搬送路とが分岐する分岐位置において前記第１搬送路と前記第２搬送路とを仕切る仕切部材と、
前記媒体が前記第１搬送路を前記記録部に向けて搬送されることを許容する許容位置と、前記記録部から前記分岐位置に向けて前記第１搬送路を搬送される前記媒体を下方に押し付けることによって前記媒体を前記第２搬送路に案内する案内位置と、に変位するように構成される押付部材と、を備え、
前記第２搬送路は、前記仕切部材の下方に位置し、
前記押付部材は、搬送される前記媒体の幅方向に並ぶように複数設けられ、
複数の前記押付部材は、第１押付部材と、第２押付部材とを有し、
複数の前記押付部材のうち、前記幅方向において複数の前記押付部材が設けられる領域の中心を通る中心軸に近い位置に位置する押付部材が前記第１押付部材であり、
複数の前記押付部材のうち、前記幅方向において前記第１押付部材よりも外側に位置する押付部材が前記第２押付部材であり、
前記案内位置に位置する前記第１押付部材の下端部分は、前記案内位置に位置する前記第２押付部材の下端部分よりも、下方に位置することを特徴とする記録装置。
【請求項２】
前記第１搬送路において前記記録部と前記押付部材との間となる位置に、前記媒体を搬送するローラー対を備え、
前記ローラー対は、前記記録部から前記分岐位置に向けて前記媒体を搬送することを特徴とする請求項１に記載の記録装置。
【請求項３】
前記案内位置に位置する複数の前記押付部材の下端部分は、前記ローラー対が前記媒体を挟み込むニップ位置における接線よりも下方に位置することを特徴とする請求項２に記載の記録装置。
【請求項４】
前記仕切部材において前記分岐位置に最も近い位置に位置する部分である先端部分は、前記ローラー対が前記媒体を挟み込むニップ位置における接線よりも下方に位置することを特徴とする請求項２又は請求項３に記載の記録装置。
【請求項５】
前記案内位置に位置する複数の前記押付部材の下端部分は、前記仕切部材において前記分岐位置に最も近い位置に位置する部分である先端部分よりも下方に位置することを特徴とする請求項１から請求項４の何れか一項に記載の記録装置。
【請求項６】
前記案内位置に位置する複数の前記押付部材において、前記幅方向において内側に位置する押付部材から外側に位置する押付部材の順に、その下端部分の位置が高くなることを特徴とする請求項１から請求項５の何れか一項に記載の記録装置。
【請求項７】
複数の前記押付部材は、前記記録部に向けて前記第１搬送路を搬送される前記媒体が接触することによって前記許容位置に変位し、前記記録部から前記分岐位置に向けて前記第１搬送路を搬送される前記媒体が接触することによって前記案内位置に変位することを特徴とする請求項１から請求項６の何れか一項に記載の記録装置。
【請求項８】
複数の前記押付部材は、前記媒体が接触していない場合に自重によって通常位置に位置し、前記媒体が接触することによって前記通常位置から回転することを特徴とする請求項７に記載の記録装置。
【請求項９】
複数の前記押付部材は、前記記録部に向けて前記第１搬送路を搬送される前記媒体が接触する場合に、第３方向に回転することによって前記許容位置に変位し、前記記録部から前記分岐位置に向けて前記第１搬送路を搬送される前記媒体が接触する場合に、前記第３方向とは反対の方向である第４方向に回転することによって前記案内位置に変位することを特徴とする請求項８に記載の記録装置。
【請求項１０】
前記第１押付部材の前記第４方向への回転量を制限する第１制限部材と、
前記第２押付部材の前記第４方向への回転量を制限する第２制限部材と、を備え、
前記第１制限部材が制限する前記第１押付部材の前記第４方向への回転量は、前記第２制限部材が制限する前記第２押付部材の前記第４方向への回転量よりも小さいことを特徴とする請求項９に記載の記録装置。
【請求項１１】
前記記録部から前記分岐位置に向けて搬送される前記媒体が接触することによって前記第４方向へ回転する複数の前記押付部材に対して、前記通常位置に戻すように力を加える複数のばねを備えることを特徴とする請求項１０に記載の記録装置。
【請求項１２】
複数の前記押付部材は、前記押付部材を駆動させる駆動機構によって、前記許容位置と、前記案内位置とに変位することを特徴とする請求項１から請求項６の何れか一項に記載の記録装置。
【請求項１３】
複数の前記押付部材は、前記記録部から前記分岐位置に向けて前記第１搬送路を搬送される前記媒体の先端が前記第２搬送路に進入した後に、前記案内位置から前記第４方向に回転することを特徴とする請求項１２に記載の記録装置。
【請求項１４】
前記第１押付部材は、前記幅方向において前記中心軸を挟むように２個設けられることを特徴とする請求項１から請求項１３の何れか一項に記載の記録装置。
【発明の詳細な説明】
【技術分野】
【０００１】
本発明は、記録装置に関する。
【背景技術】
【０００２】
特許文献１には、媒体に記録する記録部と、記録部に向けて媒体が搬送される搬送経路と、搬送経路から分岐し、記録部により片面を記録された媒体が搬送される反転経路とを備える記録装置が記載されている。片面を記録された媒体は、記録部から搬送経路と反転経路との分岐位置に向けて搬送経路を搬送されることによって、反転経路に案内される。反転経路を搬送される媒体は、搬送経路に戻される。搬送経路に戻された媒体は、再び記録部に向けて搬送される。このように、媒体が反転経路を搬送されることによって、媒体の両面に記録される。
【先行技術文献】
【特許文献】
【０００３】
【特許文献１】特開２０１５−４８２１１号公報
【発明の概要】
【発明が解決しようとする課題】
【０００４】
媒体は、例えば大気の湿度、記録部による記録などによって、幅方向においてその中央部分が浮き上がるように湾曲することがある。そのため、特許文献１に記載された記録装置においては、媒体が反転経路に案内される場合にその媒体が湾曲していると、分岐位置において搬送経路と反転経路とを仕切る部材に媒体の中央部分が衝突するおそれがある。この場合、媒体が詰まるおそれがある。
【課題を解決するための手段】
【０００５】
上記課題を解決する記録装置は、媒体に記録する記録部と、前記記録部に向かう第１方向に前記媒体が搬送される第１搬送路と、前記第１搬送路から分岐し、前記記録部によって片面が記録された前記媒体が前記第１方向とは反対の第２方向に搬送される第２搬送路と、前記第１搬送路と前記第２搬送路とが分岐する分岐位置において前記第１搬送路と前記第２搬送路とを仕切る仕切部材と、前記媒体が前記第１搬送路を前記記録部に向けて搬送されることを許容する許容位置と、前記記録部から前記分岐位置に向けて前記第１搬送路を搬送される前記媒体を下方に押し付けることによって前記媒体を前記第２搬送路に案内する案内位置と、に変位するように構成される押付部材と、を備え、前記第２搬送路は、前記仕切部材の下方に位置し、前記押付部材は、搬送される前記媒体の幅方向に並ぶように複数設けられ、複数の前記押付部材は、第１押付部材と、第２押付部材とを有し、複数の前記押付部材のうち、前記幅方向において前記幅方向において複数の前記押付部材が設けられる領域の中心を通る中心軸に近い位置に位置する押付部材が前記第１押付部材であり、複数の前記押付部材のうち、前記幅方向において前記第１押付部材よりも外側に位置する押付部材が前記第２押付部材であり、前記案内位置に位置する前記第１押付部材の下端部分は、前記案内位置に位置する前記第２押付部材の下端部分よりも、下方に位置する。
【図面の簡単な説明】
【０００６】
【図１】記録装置の一実施形態を示す断面図。
【図２】通常位置に位置する第１押付部材を示す断面図。
【図３】許容位置に位置する第１押付部材を示す断面図。
【図４】案内位置に位置する第１押付部材を示す断面図。
【図５】複数の押付部材を示す正面図。
【図６】案内位置に位置する第１押付部材及び第２押付部材を示す断面図。
【図７】案内位置に位置する第２押付部材を示す断面図。
【図８】記録装置の第１変更例を示す側面図。
【図９】記録装置の第２変更例を示す側面図。
【図１０】記録装置の第３変更例を示す側面図。
【図１１】記録装置の第４変更例を示す正面図。
【図１２】記録装置の第５変更例を示す上面図。
【発明を実施するための形態】
【０００７】
以下、記録装置の一実施形態について図を参照しながら説明する。記録装置は、例えば、用紙等の媒体に液体の一例であるインクを吐出することによって、文字、写真等の画像を記録するインクジェット式のプリンターである。
【０００８】
図１に示すように、記録装置１１は、筐体１２を備える。記録装置１１は、媒体９９に記録する記録部１３を備える。本実施形態の記録部１３は、筐体１２に収容される。記録装置１１は、記録部１３に向かう第１方向に媒体９９が搬送される第１搬送路１４を備える。第１方向とは、例えば筐体１２の後方から前方に向かう方向である。記録部１３は、第１搬送路１４を搬送される媒体９９に記録する。記録部１３により記録された媒体９９は、筐体１２の前方に向けて排出される。
【０００９】
本実施形態の記録装置１１は、筐体１２に着脱可能なカセット１５を備える。カセット１５は、媒体９９を収容可能に構成される。カセット１５に収容される媒体９９は、記録部１３に向けて第１搬送路１４を搬送される。本実施形態の第１搬送路１４は、カセット１５から記録部１３に向けて筐体１２内を延びる。本実施形態のカセット１５は、筐体１２の下部に位置する。記録装置１１は、カセット１５とは別に、筐体１２の後方から媒体９９を供給可能に構成されてもよい。
【００１０】
記録装置１１は、第１搬送路１４から分岐する第２搬送路１６を備える。第２搬送路１６においては、記録部１３によって片面が記録された媒体９９が第１方向とは反対の第２方向に搬送される。第２方向とは、例えば筐体１２の前方から後方に向かう方向である。第１搬送路１４と第２搬送路１６とが分岐する位置を分岐位置９１とする。第２搬送路１６は、分岐位置９１とは異なる位置で第１搬送路１４と合流する。第１搬送路１４と第２搬送路１６とが合流する位置を合流位置９２とする。
【００１１】
第１搬送路１４において、合流位置９２は、分岐位置９１よりも搬送方向の上流に位置する。本実施形態において、搬送方向とは、第１搬送路１４に沿って媒体９９が記録部１３に向けて搬送される方向である。第１搬送路１４のうち分岐位置９１と合流位置９２との間の部分は、第２搬送路１６よりも上方に位置する。そのため、第２搬送路１６は、第１搬送路１４に対して下方に分岐する。
【００１２】
記録装置１１は、媒体９９の両面に記録する場合に、片面を記録した媒体９９を第２搬送路１６に案内する。媒体９９の両面に記録する場合、媒体９９は、まず、カセット１５から記録部１３に向けて第１搬送路１４を搬送される。記録部１３に搬送された媒体９９は、その片面を記録部１３により記録される。片面を記録された媒体９９は、記録部１３から分岐位置９１に向けて第１搬送路１４を搬送、すなわち第１搬送路１４を通常とは逆向きに搬送される。
【００１３】
記録部１３から分岐位置９１に向けて第１搬送路１４を搬送される媒体９９は、第２搬送路１６に案内される。第２搬送路１６を搬送される媒体９９は、合流位置９２において第１搬送路１４に戻される。第１搬送路１４に戻された媒体９９は、再び記録部１３に向けて搬送される。再び記録部１３に向けて搬送される過程において、媒体９９の姿勢が上下で反転する。すなわち、片面が記録された媒体９９は、すでに記録された面とは反対の面が記録部１３と対向する姿勢で、再び記録部１３に搬送される。このようにして、記録装置１１は、媒体９９の両面に記録する。
【００１４】
記録装置１１は、分岐位置９１において第１搬送路１４と第２搬送路１６とを仕切る仕切部材１７を備える。そのため、仕切部材１７は、第１搬送路１４と第２搬送路１６とに挟まれるように位置する。仕切部材１７は、第１搬送路１４及び第２搬送路１６を形成する部材である。第２搬送路１６は、仕切部材１７の下方に位置する。
【００１５】
記録装置１１は、記録部１３から分岐位置９１に向けて第１搬送路１４を搬送される媒体９９を下方に押し付けることによって媒体９９を第２搬送路１６に案内する押付部材１８を備える。記録部１３から分岐位置９１に向けて第１搬送路１４を搬送される媒体９９は、押付部材１８によって下方に押し付けられることにより、分岐位置９１において下方に案内される。これにより、その媒体９９は、仕切部材１７の下方に案内される。押付部材１８は、記録部１３から分岐位置９１に向けて第１搬送路１４を搬送される媒体９９が仕切部材１７の上方に案内されるおそれを低減する。
【００１６】
本実施形態の記録装置１１は、媒体９９を搬送する搬送部１９を備える。搬送部１９は、例えば第１搬送路１４及び第２搬送路１６に沿って配置される複数のローラーを含む。ローラーが回転することによって、搬送部１９は、第１搬送路１４及び第２搬送路１６に沿って媒体９９を搬送する。
【００１７】
本実施形態の記録装置１１は、第１搬送路１４において記録部１３と押付部材１８との間となる位置に、媒体９９を搬送するローラー対２１を備える。本実施形態において、ローラー対２１は、搬送部１９を構成する。ローラー対２１は、媒体９９を挟み込む状態で回転することによって媒体９９を搬送する。ローラー対２１は、双方向に回転可能とされる。すなわち、ローラー対２１は、正回転することによって分岐位置９１から記録部１３に向かうように媒体９９を搬送する。ローラー対２１は、逆回転することによって記録部１３から分岐位置９１に向かうように媒体９９を搬送する。
【００１８】
本実施形態のローラー対２１は、搬送される媒体９９の傾きであるスキューを除去する機能を有する。例えば、搬送される媒体９９の先端が、停止するローラー対２１に突き当てられることによって、媒体９９のスキューが除去される。
【００１９】
図２に示すように、押付部材１８は、許容位置９３と、案内位置９４とに変位するように構成される。許容位置９３とは、媒体９９が記録部１３に向けて第１搬送路１４を搬送されることを許容する位置である。案内位置９４とは、記録部１３から分岐位置９１に向けて第１搬送路１４を搬送される媒体９９を下方に押し付けることによって、媒体９９を第２搬送路１６に案内する位置である。
【００２０】
本実施形態の押付部材１８は、記録部１３に向けて第１搬送路１４を搬送される媒体９９が接触することによって、許容位置９３に変位する。押付部材１８は、記録部１３から分岐位置９１に向けて第１搬送路１４を搬送される媒体９９が接触することによって案内位置９４に変位する。
【００２１】
本実施形態の押付部材１８は、回転軸２２を有する。押付部材１８は、回転軸２２を中心に回転可能とされる。回転軸２２は、第１搬送路１４の上方に位置する。押付部材１８は、回転軸２２を中心に回転することによって、許容位置９３及び案内位置９４に変位する。そのため、押付部材１８は、媒体９９が接触することによって、回転軸２２を中心に回転する。
【００２２】
本実施形態の押付部材１８は、媒体９９が接触していない場合に自重によって通常位置９５に位置する。通常位置９５とは、許容位置９３及び案内位置９４とは異なる位置である。通常、押付部材１８は、通常位置９５に位置する。押付部材１８は、媒体９９が接触することによって通常位置９５から変位する。図２に示す押付部材１８は、通常位置９５に位置する。
【００２３】
本実施形態において、押付部材１８は、媒体９９が接触していない場合に、重力の作用によって第１搬送路１４の上方から垂れ下がるように位置する。通常位置９５にある押付部材１８の下端部分１８Ａは、第１搬送路１４においてローラー対２１と分岐位置９１との間に位置する。押付部材１８の下端部分１８Ａは、第１搬送路１４内に位置する。本実施形態において、下端部分１８Ａとは、案内位置９４に位置する状態において押付部材１８の下端となる部分である。本実施形態において、下端部分１８Ａは、押付部材１８において回転軸２２が設けられる部分を基端とした場合に、基端とは反対の先端を構成する部分である。
【００２４】
許容位置９３に位置する押付部材１８は、記録部１３に向けて搬送される媒体９９が接触する状態から接触しない状態になると、重力の作用によって、許容位置９３から通常位置９５に復帰する。案内位置９４に位置する押付部材１８は、記録部１３から分岐位置９１に向けて搬送される媒体９９が接触する状態から接触しない状態になると、重力の作用によって、案内位置９４から通常位置９５に復帰する。
【００２５】
本実施形態の押付部材１８は、記録部１３に向けて第１搬送路１４を搬送される媒体９９が接触する場合に、第３方向に回転することによって許容位置９３に変位する。本実施形態の押付部材１８は、記録部１３から分岐位置９１に向けて第１搬送路１４を搬送される媒体９９が接触する場合に、第３方向とは反対の方向である第４方向に回転することによって案内位置９４に変位する。
【００２６】
図３に示すように、記録部１３に向けて第１搬送路１４を搬送される媒体９９が押付部材１８に接触すると、その押付部材１８は、回転軸２２を中心に第３方向に回転する。これにより、押付部材１８は、通常位置９５から許容位置９３に変位する。第３方向とは、図３において、反時計回りとなる方向である。
【００２７】
図４に示すように、記録部１３から分岐位置９１に向けて第１搬送路１４を搬送される媒体９９が押付部材１８に接触すると、その押付部材１８は、回転軸２２を中心に第４方向に回転する。これにより、押付部材１８は、通常位置９５から案内位置９４に変位する。第４方向とは、図４において時計回りとなる方向である。
【００２８】
図５に示すように、押付部材１８は、搬送される媒体９９の幅方向において並ぶように複数設けられる。幅方向とは、第１搬送路１４及び第２搬送路１６を搬送される媒体９９の幅を示す指標となる仮想軸Ａ１に沿う方向である。幅方向は、仮想軸Ａ１に平行に延びる双方向を示す。図５は、記録部１３から分岐位置９１に向かって押付部材１８を見たときの図である。
【００２９】
複数の押付部材１８は、第１押付部材２５と、第２押付部材２６とを有する。複数の押付部材１８のうち、幅方向において複数の押付部材１８が設けられる領域Ｂ１の中心を通る中心軸Ａ２に近い位置に位置する押付部材１８が、第１押付部材２５である。第１押付部材２５は、幅方向において中心軸Ａ２と重なる位置に位置してもよい。複数の押付部材１８のうち、幅方向において第１押付部材２５よりも外側に位置する押付部材１８が、第２押付部材２６である。第１押付部材２５は、第２押付部材２６と比較して、幅方向において中心軸Ａ２に近い位置に位置する。
【００３０】
領域Ｂ１とは、幅方向において、複数の押付部材１８のうち最も外側に位置する一方の押付部材１８から他方の押付部材１８までの領域である。媒体９９は、幅方向において、その中央部分が中心軸Ａ２と重なるように搬送される。本実施形態においては、幅方向において、搬送される媒体９９の中心と、複数の押付部材１８が設けられる領域Ｂ１の中心とが重なる。複数の押付部材１８は、幅方向において複数の押付部材１８が設けられる領域Ｂ１の中心を通る中心軸Ａ２を基準に対称に配置されてもよい。
【００３１】
本実施形態において、第１押付部材２５は、２個設けられる。すなわち、複数の押付部材１８のうち幅方向において内側に位置する２個の押付部材１８が第１押付部材２５である。２個の第１押付部材２５は、幅方向において中心軸Ａ２を挟むように位置する。２個の第１押付部材２５のうち少なくとも１個の第１押付部材２５が、複数の押付部材１８のうち、幅方向において中心軸Ａ２に最も近い位置に位置する。
【００３２】
記録装置１１は、第１押付部材２５が１個だけ設けられる構成でもよい。この場合、１個の第１押付部材２５は、複数の押付部材１８のうち、幅方向において中心軸Ａ２に最も近い位置に位置する。
【００３３】
記録装置１１は、第１押付部材２５が３個以上設けられる構成でもよい。例えば、第１押付部材２５が３個設けられる場合、複数の押付部材１８のうち幅方向において内側に位置する３個の押付部材１８が第１押付部材２５である。３個の第１押付部材２５のうち１個又は２個の第１押付部材２５が、複数の押付部材１８のうち、幅方向において中心軸Ａ２に最も近い位置に位置する。
【００３４】
例えば、第１押付部材２５が４個設けられる場合、複数の押付部材１８のうち幅方向において内側に位置する４個の押付部材１８が第１押付部材２５である。４個の第１押付部材２５のうち１個又は２個の第１押付部材２５が、複数の押付部材１８のうち、幅方向において中心軸Ａ２に最も近い位置に位置する。
【００３５】
第２押付部材２６は、複数の押付部材１８のうち第１押付部材２５以外の押付部材１８である。本実施形態の第１押付部材２５及び第２押付部材２６は、同一の形状である。第１押付部材２５及び第２押付部材２６において、回転軸２２は、同じ高さに位置する。そのため、第１押付部材２５の下端部分２５Ａ及び第２押付部材２６の下端部分２６Ａは、通常位置９５において同じ高さに位置する。
【００３６】
本実施形態において、押付部材１８は、合計１２個設けられる。第１押付部材２５が２個設けられているため、幅方向において第１押付部材２５よりも外側に位置する１０個の押付部材１８が第２押付部材２６である。これ以降では、第１押付部材２５と第２押付部材２６とを区別する必要がない場合、単に押付部材１８と表記する。
【００３７】
媒体９９は、大気の湿度、記録部１３による記録などによって、幅方向においてその中央部分が浮き上がるように湾曲することがある。記録部１３から分岐位置９１に向かって第１搬送路１４を搬送される媒体９９が湾曲していると、浮き上がった媒体９９の中央部分が仕切部材１７の先端部分１７Ａに衝突するおそれがある。先端部分１７Ａとは、仕切部材１７において分岐位置９１に対して最も近い位置に位置する部分である。媒体９９が先端部分１７Ａと衝突すると、媒体９９が第２搬送路１６に案内されず、媒体９９が詰まるおそれがある。
【００３８】
図６に示すように、案内位置９４に位置する第１押付部材２５の下端部分２５Ａは、案内位置９４に位置する第２押付部材２６の下端部分２６Ａよりも、下方に位置する。そのため、記録部１３から分岐位置９１に向けて第１搬送路１４を媒体９９が搬送される場合に、第１押付部材２５が媒体９９を下方に押し付ける力は、第２押付部材２６が媒体９９を下方に押し付ける力よりも強くなる。第１押付部材２５は、幅方向における媒体９９の中央部分を下方に押し付ける。第２押付部材２６は、幅方向における媒体９９の端部分を下方に押し付ける。すなわち、例えば幅方向において中央部分が浮き上がるように媒体９９が湾曲していたとしても、第１押付部材２５がその中央部分を強く下方に押し付けることによって、第２搬送路１６に案内される媒体９９が仕切部材１７と衝突するおそれが低減される。したがって、媒体９９が詰まるおそれを抑制できる。
【００３９】
案内位置９４に位置する複数の押付部材１８の下端部分１８Ａは、ローラー対２１が媒体９９を挟み込むニップ位置９６における接線Ｌ１よりも下方に位置してもよい。片面を記録された媒体９９は、ローラー対２１によって、ニップ位置９６から接線Ｌ１が延びる方向に、記録部１３から分岐位置９１に向けて第１搬送路１４を搬送される。そのため、押付部材１８の下端部分１８Ａが接線Ｌ１よりも下方に位置する場合、記録部１３から分岐位置９１に向けて搬送される媒体９９が押付部材１８によって効果的に下方に押し付けられる。すなわち、記録部１３から分岐位置９１に向けて搬送される媒体９９が第２搬送路１６に案内されやすくなる。
【００４０】
仕切部材１７の先端部分１７Ａは、ニップ位置９６における接線Ｌ１よりも下方に位置してもよい。こうすると、媒体９９が記録部１３に向けて第１搬送路１４を搬送される際に媒体９９にかかる負荷が低減される。そのため、媒体９９が記録部１３に向けて搬送されやすくなる。先端部分１７Ａが接線Ｌ１よりも上方に位置する場合、媒体９９が湾曲されながら記録部１３に向けて第１搬送路１４を搬送されることになる。この場合、媒体９９が湾曲されることによって、媒体９９に負荷がかかりやすくなる。
【００４１】
案内位置９４に位置する複数の押付部材１８の下端部分１８Ａは、仕切部材１７の先端部分１７Ａよりも下方に位置してもよい。こうすると、記録部１３から分岐位置９１に向けて搬送される媒体９９が第２搬送路１６に案内されやすくなる。
【００４２】
本実施形態の記録装置１１は、第１押付部材２５の第４方向への回転量を制限する第１制限部材３１を備える。第１制限部材３１は、通常位置９５から第４方向に回転する第１押付部材２５に接触することによって、第１押付部材２５の第４方向への回転量を制限する。回転量とは、例えば回転角度である。第１押付部材２５においては、第１制限部材３１によって、通常位置９５を基準とする第４方向への回転角度が制限される。
【００４３】
図７に示すように、本実施形態の記録装置１１は、第２押付部材２６の第４方向への回転量を制限する第２制限部材３２を備える。第２制限部材３２は、通常位置９５から第４方向に回転する第２押付部材２６に接触することによって、第２押付部材２６の第４方向への回転量を制限する。回転量とは、例えば回転角度である。第２押付部材２６においては、第２制限部材３２によって、通常位置９５を基準とする第４方向への回転角度が制限される。
【００４４】
本実施形態において、第１制限部材３１が制限する第１押付部材２５の第４方向への回転量は、第２制限部材３２が制限する第２押付部材２６の第４方向への回転量よりも小さい。例えば、第１押付部材２５における通常位置９５から第４方向への回転角度は、第２押付部材２６における通常位置９５から第４方向への回転角度よりも１５度小さい。
【００４５】
第１押付部材２５及び第２押付部材２６は、通常位置９５において下方に垂れ下がるように位置している。そのため、第１制限部材３１及び第２制限部材３２によって第１押付部材２５及び第２押付部材２６の第４方向への回転が制限された状態においては、第１押付部材２５の下端部分２５Ａが、第２押付部材２６の下端部分２６Ａよりも下方に位置する。すなわち、記録部１３から分岐位置９１に向けて第１搬送路１４を媒体９９が搬送される場合、第１押付部材２５及び第２押付部材２６のうち第４方向への回転量が小さい第１押付部材２５の下端部分２５Ａが、第２押付部材２６の下端部分２６Ａよりも下方に位置する。これにより、記録部１３から分岐位置９１に向けて搬送される媒体９９に対して、第２押付部材２６よりも第１押付部材２５が強く下方に押し付けることができる。そのため、幅方向において媒体９９の中央部分が浮き上がるように媒体９９が湾曲していたとしても、媒体９９が仕切部材１７に衝突するおそれを低減できる。
【００４６】
記録装置１１は、記録部１３から分岐位置９１に向けて搬送される媒体９９が接触することによって第４方向へ回転する複数の押付部材１８に対して、通常位置９５に戻すように力を加える複数のばね３３を備えてもよい。ばね３３は、それぞれの押付部材１８に設けられる。ばね３３は、例えば回転軸２２に巻きつけられる。ばね３３の第１端が押付部材１８と接触し、ばね３３において第１端とは反対の第２端が別の部材と接触することによって、押付部材１８に力が加わる。
【００４７】
ばね３３を設けることによって、記録部１３から分岐位置９１に向けて第１搬送路１４を媒体９９が搬送される際、ばね３３の抵抗によって押付部材１８が緩やかに第４方向に回転する。すなわち、押付部材１８において、第４方向へ回転する際の抵抗が、第３方向へ回転する際の抵抗よりも高くなる。そのため、押付部材１８の第４方向への回転量が制限された場合に、媒体９９が押付部材１８と接触することによって生じる媒体９９の負荷を低減できる。
【００４８】
次に、上記実施形態の作用及び効果について説明する。
（１）案内位置９４に位置する第１押付部材２５の下端部分２５Ａは、案内位置９４に位置する第２押付部材２６の下端部分２６Ａよりも、下方に位置する。これにより、記録部１３から分岐位置９１に向けて第１搬送路１４を媒体９９が搬送される場合に、第１押付部材２５が媒体９９を下方に押し付ける力は、第２押付部材２６が媒体９９を下方に押し付ける力よりも強くなる。第１押付部材２５は、幅方向における媒体９９の中央部分を下方に押し付ける。第２押付部材２６は、幅方向における媒体９９の端部分を下方に押し付ける。すなわち、例えば媒体９９が幅方向においてその中央部分が浮き上がるように湾曲していたとしても、第１押付部材２５がその中央部分を強く下方に押し付けることによって、第２搬送路１６に案内される媒体９９が仕切部材１７と衝突するおそれが低減される。したがって、媒体９９が詰まるおそれを低減できる。
【００４９】
（２）案内位置９４に位置する複数の押付部材１８の下端部分１８Ａは、ローラー対２１が媒体９９を挟み込むニップ位置９６における接線Ｌ１よりも下方に位置する。これにより、記録部１３から分岐位置９１に向けて搬送される媒体９９が押付部材１８によって効果的に下方に押し付けられる。すなわち、記録部１３から分岐位置９１に向けて搬送される媒体９９が第２搬送路１６に案内されやすくなる。
【００５０】
（３）仕切部材１７において分岐位置９１に最も近い位置に位置する先端部分１７Ａは、ローラー対２１が媒体９９を挟み込むニップ位置９６における接線Ｌ１よりも下方に位置する。これにより、媒体９９が記録部１３に向けて第１搬送路１４を搬送される際に媒体９９にかかる負荷が低減される。そのため、媒体９９が記録部１３に向けて搬送されやすくなる。
【００５１】
（４）案内位置９４に位置する複数の押付部材１８の下端部分１８Ａは、仕切部材１７において分岐位置９１に最も近い位置に位置する先端部分１７Ａよりも下方に位置する。これにより、記録部１３から分岐位置９１に向けて搬送される媒体９９が第２搬送路１６に案内されやすくなる。
【００５２】
（５）複数の押付部材１８は、記録部１３に向けて第１搬送路１４を搬送される媒体９９が接触することによって許容位置９３に変位する。複数の押付部材１８は、記録部１３から分岐位置９１に向けて第１搬送路１４を搬送される媒体９９が接触することによって案内位置９４に変位する。これにより、媒体９９が接触することによって押付部材１８が許容位置９３と案内位置９４とに変位するため、例えば電気的に押付部材１８を変位させる構成と比較して、押付部材１８を変位させるための構成を簡易にできる。
【００５３】
（６）複数の押付部材１８は、媒体９９が接触していない場合に自重によって通常位置９５に位置し、媒体９９が接触することによって通常位置９５から回転する。これにより、押付部材１８は、自重によって、許容位置９３又は案内位置９４から通常位置９５に復帰する。そのため、例えば電気的に押付部材１８を通常位置９５に復帰させる構成と比較して、押付部材１８を通常位置９５に復帰させるための構成を簡易にできる。
【００５４】
（７）複数の押付部材１８は、記録部１３に向けて第１搬送路１４を搬送される媒体９９が接触する場合に、第３方向に回転することによって許容位置９３に変位する。複数の押付部材１８は、記録部１３から分岐位置９１に向けて第１搬送路１４を搬送される媒体９９が接触する場合に、第３方向とは反対の方向である第４方向に回転する。これにより、押付部材１８が許容位置９３と案内位置９４との間で変位しやすくなる。
【００５５】
（８）第１制限部材３１が制限する第１押付部材２５の第４方向への回転量は、第２制限部材３２が制限する第２押付部材２６の第４方向への回転量よりも小さい。これにより、案内位置９４に位置する第１押付部材２５の下端部分２５Ａは、案内位置９４に位置する第２押付部材２６の下端部分２６Ａよりも、下方に位置する。そのため、簡易な構成で、記録部１３から分岐位置９１に向けて第１搬送路１４を搬送される媒体９９に対して、第２押付部材２６よりも第１押付部材２５が強く下方に押し付けることができる。
【００５６】
（９）記録装置１１は、記録部１３から分岐位置９１に向けて搬送される媒体９９が接触することによって第４方向へ回転する複数の押付部材１８に対して、通常位置９５に戻すように力を加える複数のばね３３を備える。記録部１３から分岐位置９１に向けて第１搬送路１４を媒体９９が搬送される際、ばね３３によって押付部材１８が緩やかに第４方向に回転する。これにより、押付部材１８の第４方向への回転量が制限された場合に、媒体９９が押付部材１８と接触することによって生じる媒体９９の負荷を低減できる。
【００５７】
（１０）第１押付部材２５は、幅方向において中心軸Ａ２を挟むように２個設けられる。これにより、幅方向において媒体９９の中心が中心軸Ａ２と重なる場合に、媒体９９において最も浮き上がる部分を避けるように第１押付部材２５が媒体９９に接触する。そのため、押付部材１８が媒体９９を下方に押し付けることによってかかる媒体９９の負荷を低減できる。
【００５８】
本実施形態は、以下のように変更して実施することができる。本実施形態及び以下の変更例は、技術的に矛盾しない範囲で互いに組み合わせて実施することができる。
・図８に示すように、押付部材１８は、押付部材１８を駆動させる駆動機構３５によって、許容位置９３と案内位置９４とに変位してもよい。駆動機構３５は、例えばモーターを含む。第１変更例において、駆動機構３５は、記録部１３に向けて第１搬送路１４を媒体９９が搬送される場合に、押付部材１８を許容位置９３に変位させる。駆動機構３５は、記録部１３から分岐位置９１に向けて第１搬送路１４を媒体９９が搬送される場合に、押付部材１８を案内位置９４に変位させる。
【００５９】
この第１変更例によれば、以下の効果が得られる。
（１１）押付部材１８を許容位置９３と案内位置９４との間で自由に変位させることができる。また、駆動機構３５は、記録部１３に向けて第１搬送路１４を媒体９９が搬送される際に、第１搬送路１４から退避した位置に変位させることができる。こうすると、記録部１３に向けて第１搬送路１４を搬送される媒体９９が押付部材１８に接触しないため、媒体９９にかかる負荷を低減できる。
【００６０】
・図９に示すように、記録装置１１が駆動機構３５を備える場合において、押付部材１８は、記録部１３から分岐位置９１に向けて第１搬送路１４を搬送される媒体９９の先端が第２搬送路１６に進入した後に、案内位置９４から第４方向に回転してもよい。第２変更例の記録装置１１は、媒体９９の先端が第２搬送路１６に進入したことを検知するセンサーを備える。第２変更例の記録装置１１は、第１制限部材３１及び第２制限部材３２を備えていない。
【００６１】
この第２変更例によれば、以下の効果が得られる。
（１２）記録部１３から分岐位置９１に向けて第１搬送路１４を搬送される媒体９９の先端が第２搬送路１６に進入した後、押付部材１８が案内位置９４に位置したままの場合、媒体９９が押付部材１８と接触し続けることがある。この場合、第２搬送路１６を搬送される媒体９９に抵抗がかかる。そのため、記録部１３から分岐位置９１に向けて第１搬送路１４を搬送される媒体９９の先端が第２搬送路１６に進入した後に、押付部材１８が案内位置９４から第４方向に回転すると、媒体９９と押付部材１８とが接触し続けるおそれが低減される。これにより、第２搬送路１６を搬送される媒体９９に抵抗がかかるおそれを低減できる。
【００６２】
・図１０に示すように、押付部材１８は、回転する構成に限らず、例えば、第１搬送路１４に対して進退するように構成されてもよい。図１０において、実線で示す押付部材１８は案内位置９４に位置し、２点鎖線で示す押付部材１８は許容位置９３に位置する。第３変更例において、押付部材１８は、例えば駆動機構３５によって変位する。
【００６３】
・図１１に示すように、案内位置９４に位置する複数の押付部材１８において、幅方向において内側に位置する押付部材１８から外側に位置する押付部材１８の順に、その下端部分１８Ａの位置が高くなっていてもよい。すなわち、複数の押付部材１８において、複数の押付部材１８のうち幅方向において最も内側に位置する第１押付部材２５の下端部分２５Ａは、最も下方に位置する。複数の押付部材１８において、複数の押付部材１８のうち幅方向において最も外側に位置する第２押付部材２６の下端部分２６Ａは、最も上方に位置する。第４変更例において、複数の第２押付部材２６の下端部分２６Ａは、それぞれ高さが異なるように位置してもよい。
【００６４】
この第４変更例によれば、以下の効果が得られる。
（１３）記録部１３から分岐位置９１に向けて第１搬送路１４を搬送される媒体９９が押付部材１８によって効果的に下方に押し付けられる。すなわち、記録部１３から分岐位置９１に向けて第１搬送路１４を搬送される媒体９９が第２搬送路１６に案内されやすくなる。
【００６５】
・図１２に示すように、仕切部材１７に切欠溝３７を設けてもよい。切欠溝３７は、仕切部材１７において幅方向の中央に設けられる。例えば、切欠溝３７は、中心軸Ａ２を基準に幅方向において対称的な形状とされる。切欠溝３７は、仕切部材１７の先端部分１７Ａに開口する部分となる開口部分３７Ａと、先端部分１７Ａから見たときに最も深い部分となる最深部分３７Ｂとを有する。最深部分３７Ｂは、幅方向において中心軸Ａ２と重なるように位置する。切欠溝３７は、開口部分３７Ａから最深部分３７Ｂに向かって窄むように形成される。そのため、切欠溝３７は、開口部分３７Ａにおいて幅が最も大きくなるように形成される。
【００６６】
幅方向において中央部分が浮き上がるように湾曲する媒体９９が記録部１３から分岐位置９１に向けて第１搬送路１４を搬送される場合、その浮き上がった部分が切欠溝３７に進入する。これにより、媒体９９の浮き上がった部分が仕切部材１７の先端部分１７Ａに衝突するおそれを低減できる。媒体９９の浮き上がった部分は、最深部分３７Ｂに到達する前に、開口部分３７Ａと最深部分３７Ｂとを繋ぐ切欠溝３７の縁に接触する。媒体９９は、浮き上がった中央部分が切欠溝３７の縁に接触する状態で搬送されると、切欠溝３７が窄む形状であるため、仕切部材１７の下方に案内される。これにより、媒体９９を第２搬送路１６に案内しやすくなる。
【００６７】
・押付部材１８は、媒体９９が接触することによってスライドするように構成されてもよい。この場合、押付部材１８は、スライドすることによって、許容位置９３と案内位置９４とに変位する。
【００６８】
・通常位置９５に位置する第１押付部材２５の下端部分２５Ａが、通常位置９５に位置する第２押付部材２６の下端部分２６Ａよりも下方に位置してもよい。こうすると、記録部１３から分岐位置９１に向けて第１搬送路１４を媒体９９が搬送される場合に、第１押付部材２５が媒体９９を下方に押し付ける力は、第２押付部材２６が媒体９９を下方に押し付ける力よりも強くなる。
【００６９】
・記録部１３が吐出する液体はインクに限らず、例えば機能材料の粒子が液体に分散又は混合されてなる液状体などでもよい。例えば、記録部１３が液晶ディスプレイ、エレクトロルミネッセンスディスプレイ及び面発光ディスプレイの製造などに用いられる電極材または画素材料などの材料を分散または溶解のかたちで含む液状体を吐出してもよい。
【００７０】
以下に、上述した実施形態及び変更例から把握される技術的思想及びその作用効果を記載する。
（Ａ）記録装置は、媒体に記録する記録部と、前記記録部に向かう第１方向に前記媒体が搬送される第１搬送路と、前記第１搬送路から分岐し、前記記録部によって片面が記録された前記媒体が前記第１方向とは反対の第２方向に搬送される第２搬送路と、前記第１搬送路と前記第２搬送路とが分岐する分岐位置において前記第１搬送路と前記第２搬送路とを仕切る仕切部材と、前記媒体が前記第１搬送路を前記記録部に向けて搬送されることを許容する許容位置と、前記記録部から前記分岐位置に向けて前記第１搬送路を搬送される前記媒体を下方に押し付けることによって前記媒体を前記第２搬送路に案内する案内位置と、に変位するように構成される押付部材と、を備え、前記第２搬送路は、前記仕切部材の下方に位置し、前記押付部材は、搬送される前記媒体の幅方向に並ぶように複数設けられ、複数の前記押付部材は、第１押付部材と、第２押付部材とを有し、複数の前記押付部材のうち、前記幅方向において複数の前記押付部材が設けられる領域の中心を通る中心軸に近い位置に位置する押付部材が前記第１押付部材であり、複数の前記押付部材のうち、前記幅方向において前記第１押付部材よりも外側に位置する押付部材が前記第２押付部材であり、前記案内位置に位置する前記第１押付部材の下端部分は、前記案内位置に位置する前記第２押付部材の下端部分よりも、下方に位置する。
【００７１】
この構成によれば、記録部から分岐位置に向けて第１搬送路を媒体が搬送される場合に、第１押付部材が媒体を下方に押し付ける力は、第２押付部材が媒体を下方に押し付ける力よりも強くなる。第１押付部材は、幅方向における媒体の中央部分を下方に押し付ける。第２押付部材は、幅方向における媒体の端部分を下方に押し付ける。すなわち、例えば幅方向において中央部分が浮き上がるように媒体が湾曲していたとしても、第１押付部材がその中央部分を強く下方に押し付けることによって、第２搬送路に案内される媒体が仕切部材と衝突するおそれが低減される。したがって、媒体が詰まるおそれを低減できる。
【００７２】
（Ｂ）上記記録装置は、前記第１搬送路において前記記録部と前記押付部材との間となる位置に、前記媒体を搬送するローラー対を備え、前記ローラー対は、前記記録部から前記分岐位置に向けて前記媒体を搬送してもよい。
【００７３】
（Ｃ）上記記録装置において、前記案内位置に位置する複数の前記押付部材の下端部分は、前記ローラー対が前記媒体を挟み込むニップ位置における接線よりも下方に位置してもよい。
【００７４】
この構成によれば、記録部から分岐位置に向けて搬送される媒体が押付部材によって効果的に下方に押し付けられる。すなわち、記録部から分岐位置に向けて搬送される媒体が第２搬送路に案内されやすくなる。
【００７５】
（Ｄ）上記記録装置において、前記仕切部材において前記分岐位置に最も近い位置に位置する部分である先端部分は、前記ローラー対が前記媒体を挟み込むニップ位置における接線よりも下方に位置してもよい。
【００７６】
この構成によれば、媒体が記録部に向けて第１搬送路を搬送される際に媒体にかかる負荷が低減される。そのため、媒体が記録部に向けて搬送されやすくなる。
（Ｅ）上記記録装置において、前記案内位置に位置する複数の前記押付部材の下端部分は、前記仕切部材において前記分岐位置に最も近い位置に位置する部分である先端部分よりも下方に位置してもよい。
【００７７】
この構成によれば、記録部から分岐位置に向けて搬送される媒体が第２搬送路に案内されやすくなる。
（Ｆ）上記記録装置においては、前記案内位置に位置する複数の前記押付部材において、前記幅方向において内側に位置する押付部材から外側に位置する押付部材の順に、その下端部分の位置が高くなってもよい。
【００７８】
この構成によれば、記録部から分岐位置に向けて第１搬送路を搬送される媒体が押付部材によって効果的に下方に押し付けられる。すなわち、記録部から分岐位置に向けて第１搬送路を搬送される媒体が第２搬送路に案内されやすくなる。
【００７９】
（Ｇ）上記記録装置において、複数の前記押付部材は、前記記録部に向けて前記第１搬送路を搬送される前記媒体が接触することによって前記許容位置に変位し、前記記録部から前記分岐位置に向けて前記第１搬送路を搬送される前記媒体が接触することによって前記案内位置に変位してもよい。
【００８０】
この構成によれば、媒体が接触することによって押付部材が許容位置と案内位置とに変位するため、例えば電気的に押付部材を変位させる構成と比較して、押付部材を変位させるための構成を簡易にできる。
【００８１】
（Ｈ）上記記録装置において、複数の前記押付部材は、前記媒体が接触していない場合に自重によって通常位置に位置し、前記媒体が接触することによって前記通常位置から回転してもよい。
【００８２】
この構成によれば、押付部材は、自重によって、許容位置又は案内位置から通常位置に復帰する。そのため、例えば電気的に押付部材を通常位置に復帰させる構成と比較して、押付部材を通常位置に復帰させるための構成を簡易にできる。
【００８３】
（Ｉ）上記記録装置において、複数の前記押付部材は、前記記録部に向けて前記第１搬送路を搬送される前記媒体が接触する場合に、第３方向に回転することによって前記許容位置に変位し、前記記録部から前記分岐位置に向けて前記第１搬送路を搬送される前記媒体が接触する場合に、前記第３方向とは反対の方向である第４方向に回転することによって前記案内位置に変位してもよい。
【００８４】
この構成によれば、押付部材が許容位置と案内位置との間で変位しやすくなる。
（Ｊ）上記記録装置は、前記第１押付部材の前記第４方向への回転量を制限する第１制限部材と、前記第２押付部材の前記第４方向への回転量を制限する第２制限部材と、を備え、前記第１制限部材が制限する前記第１押付部材の前記第４方向への回転量は、前記第２制限部材が制限する前記第２押付部材の前記第４方向への回転量よりも小さくてもよい。
【００８５】
この構成によれば、案内位置に位置する第１押付部材の下端部分は、案内位置に位置する第２押付部材の下端部分よりも、下方に位置する。そのため、記録部から分岐位置に向けて第１搬送路を搬送される媒体に対して、第２押付部材よりも第１押付部材が強く下方に押し付けることができる。
【００８６】
（Ｋ）上記記録装置は、前記記録部から前記分岐位置に向けて搬送される前記媒体が接触することによって前記第４方向へ回転する複数の前記押付部材に対して、前記通常位置に戻すように力を加える複数のばねを備えてもよい。
【００８７】
この構成によれば、記録部から分岐位置に向けて第１搬送路を媒体が搬送される際、ばねによって押付部材が緩やかに第４方向に回転する。これにより、押付部材の第４方向への回転量が制限された場合に、媒体が押付部材と接触することによって生じる媒体の負荷を低減できる。
【００８８】
（Ｌ）上記記録装置において、複数の前記押付部材は、前記押付部材を駆動させる駆動機構によって、前記許容位置と、前記案内位置とに変位してもよい。
この構成によれば、押付部材を許容位置と案内位置との間で自由に変位させることができる。
【００８９】
（Ｍ）上記記録装置において、複数の前記押付部材は、前記記録部から前記分岐位置に向けて前記第１搬送路を搬送される前記媒体の先端が前記第２搬送路に進入した後に、前記案内位置から前記第４方向に回転してもよい。
【００９０】
記録部から分岐位置に向けて第１搬送路を搬送される媒体の先端が第２搬送路に進入した後、押付部材が案内位置に位置したままの場合、媒体が押付部材と接触し続けることがある。この場合、第２搬送路を搬送される媒体に抵抗がかかる。そのため、記録部から分岐位置に向けて第１搬送路を搬送される媒体の先端が第２搬送路に進入した後に、押付部材が案内位置から第４方向に回転すると、媒体と押付部材とが接触し続けるおそれが低減上記構成によれば、第２搬送路を搬送される媒体に抵抗がかかるおそれを低減できる。
【００９１】
（Ｎ）上記記録装置において、前記第１押付部材は、前記幅方向において前記中心軸を挟むように２個設けられてもよい。
この構成によれば、幅方向において媒体の中心が中心軸と重なる場合に、媒体において最も浮き上がる部分を避けるように第１押付部材が媒体に接触する。そのため、押付部材が媒体を下方に押し付けることによってかかる媒体の負荷を低減できる。
【符号の説明】
【００９２】
１１…記録装置、１２…筐体、１３…記録部、１４…第１搬送路、１５…カセット、１６…第２搬送路、１７…仕切部材、１７Ａ…先端部分、１８…押付部材、１８Ａ…下端部分、１９…搬送部、２１…ローラー対、２２…回転軸、２５…第１押付部材、２５Ａ…下端部分、２６…第２押付部材、２６Ａ…下端部分、３１…第１制限部材、３２…第２制限部材、３３…ばね、３５…駆動機構、３７…切欠溝、３７Ａ…開口部分、３７Ｂ…最深部分、９１…分岐位置、９２…合流位置、９３…許容位置、９４…案内位置、９５…位置、９６…ニップ位置、９９…媒体、Ａ１…仮想軸、Ａ２…中心軸、Ｂ１…領域、Ｌ１…接線。
【図１】
2020175994.tif 000003
【図２】
2020175994.tif 000004
【図３】
2020175994.tif 000005
【図４】
2020175994.tif 000006
【図５】
2020175994.tif 000007
【図６】
2020175994.tif 000008
【図７】
2020175994.tif 000009
【図８】
2020175994.tif 000010
【図９】
2020175994.tif 000011
【図１０】
2020175994.tif 000012
【図１１】
2020175994.tif 000013
【図１２】
2020175994.tif 000014